(57)【要約】      （修正有）【課題】軽く、吸音性に優れ、しかも滑り難い敷物を提供する。【解決手段】表面繊維層１０１と、前記表面繊維層１０１の裏面側に配される合成樹脂ネットの交点に針状突起１０２ａが立設してなる滑り止めネット１０２と、前記滑り止めネット１０２の針状突起１０２ａの根元を固める溶融繊維層１０３とを備えた。【選択図】図１
2014226223.tif 000002
【特許請求の範囲】
【請求項１】
表面繊維層と、前記表面繊維層の裏面側に配される合成樹脂ネットの交点に針状突起が立設してなる滑り止めネットと、前記滑り止めネットの針状突起の根元を固める溶融繊維層とを備えたことを特徴とする敷物。
【請求項２】
表面繊維層と滑り止めネットとの間に吸音層を設けたことを特徴とする請求項１に記載の敷物。
【請求項３】
請求項１又は２に記載の敷物を用いたことを特徴する自動車用マット。
【発明の詳細な説明】
【技術分野】
【０００１】
本発明は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなどに適用される敷物及び自動車用マットに関する。
【背景技術】
【０００２】
従来、自動車床面や建物床面に敷設されるカーペットの多くは、フェルトや不織布などの繊維シートにパイル糸を打ち込むと共に、前記パイル糸の抜け止めのためにプレコート層を設けた繊維基材と、この繊維基材裏面に形成したバッキングとから構成されていた。
【０００３】
ところが近年、カーペット、特には自動車床面に敷設されるカーペットにおいては、自動車のハイブリッド化に伴い、軽量化、低コスト化が求められるようになってきている。その他の建物などの分野においても、省資源、省エネルギー化の流れの中で、カーペットに対する軽量化、低コスト化の克服は、大変に重要な課題となっている。
【０００４】
一方、快適性の要求の高まりの中で、自動車内や建物内の静粛性に対する要求もあり、自動車床面や建物床面に敷設されるカーペットに対しても、そのような性能が求められるようになった。
【０００５】
しかしながら従来のカーペットにあっては、繊維基材５裏面に形成されているバッキングが、ポリ塩化ビニルなどの未発砲の合成樹脂層からなるので重く、しかも該バッキングは音の透過を遮断する遮音層として作用するので、自動車内や建物内に伝播まはた発生して当該カーペットに衝突した騒音は、前記バッキングに跳ね返されてしまい、室内に反響してしまうという欠点があった。
【０００６】
そこで本発明者は、このような事情に鑑み、軽く、しかも吸音性に優れるカーペットを特許文献１において提案している。このカーペットは、繊維基材の裏面側に繊維質シートを樹脂成分で固めた繊維質バッキングを形成したことを特徴とするものである（特許文献１参照）。
【０００７】
ところがこのカーペットは、裏面が繊維質バッキングからなるので突掛かりがなく滑りやすいという不具合があった。
【０００８】
そこで、本発明者は、軽く、吸音性に優れ、しかも滑り難いカーペットを提案している（特許文献２）、図３に示すように、このカーペット１１は、表面と裏面とを有する経編み緯糸挿入編物の前記表面と裏面とを接続するループ状経糸をカットした編物１２が繊維質バッキング１３裏面側に一体化されており、前記編物１２のループ状経糸１４のカット端１４ａが、該カーペットを敷設する床面を係止する係止部として突出していることを特徴とするものである。
【０００９】
さらに、本発明者は、このカーペット１１において、熱接着性繊維１６を構成繊維として含む繊維質シート１５を編物１２に積層してこれらを絡合処理することで、繊維質シート１５の熱接着性繊維１６を編物２２に絡み合わせて一体化し、その上で加熱処理することで繊維質シート１５に含まれる熱接着性繊維１６が熱融着して樹脂成分となり繊維質シート１５が固められると共に、編物１２と絡み合う熱接着性繊維１６も同様に熱融着して樹脂成分となり、両者の一体性を高め、さらに編物１２のカットされたループ状経糸１４も樹脂成分でその基部（根本部分）が固められ、経糸１４のカット端１４ａの強度も高くなり、床面への食い込み性、ズレ防止性も向上するようにしたものも提案している。
【００１０】
同様な構造を有する敷物がその後も多数提案されている（例えば特許文献３及び４参照）。すなわち図４に示すように、ループパイルを有するネット状ラッセル編地２２からなり、前記ラッセル編地の前記ループパイルを頂上近傍でカットし、そのカット端が該敷物２１を敷設する床面を係止する係止部として突出している裏張り材２２を敷物２１の裏面に取り付けたものである。
【先行技術文献】
【特許文献】
【００１１】
【特許文献１】特開２００３−０１９０６７号公報
【特許文献２】特開２００３−１０２６１１号公報
【特許文献３】特開２００６−１７５１２６号公報
【特許文献４】特開２００９−２４７６６２号公報
【発明の概要】
【発明が解決しようとする課題】
【００１２】
本発明は、先に提案した特許文献２に記載の軽く、吸音性に優れ、しかも滑り難いカーペットにおけるズレ防止性をさらに改良したものであり、軽く、吸音性に優れ、しかも滑り難い敷物及び自動車用マットを提案することを目的とするものである。
【課題を解決するための手段】
【００１３】
上記目的を達成するため、請求項１に記載の発明は、表面繊維層と、前記表面繊維層の裏面側に配される合成樹脂ネットの交点に針状突起が立設してなる滑り止めネットと、前記滑り止めネットの針状突起の根元を固める溶融繊維層とを備えたことを特徴とする敷物をその要旨とした。
【００１４】
表面繊維層と滑り止めネットとの間に吸音層を設けたことを特徴とする敷物をその要旨とした。
【００１５】
請求項１又は２に記載の敷物を用いたことを特徴する自動車用マットをその要旨とした。
【発明の効果】
【００１６】
本発明の敷物は、表面繊維層の裏面側に配された滑り止めネットにおける針状突起が溶融繊維層によってその根元が固められ、ファーストカーペット内に入り込んでこれを掴むことから、優れた滑り防止性が発揮される。また、この滑り止めネットは、合成樹脂ネットからなるために軽量であると共に通気性を備え、優れた吸音性を発揮するようになっている。
【図面の簡単な説明】
【００１７】
【図１】本発明の敷物を示す拡大断面図。
【図２】本発明の敷物を構成する滑り止めネットを示す拡大斜視図。
【図３】従来の敷物の拡大断面図。
【図４】従来のさらに別の敷物の拡大断面図。
【発明を実施するための形態】
【００１８】
以下、本発明の敷物を図面に従ってさらに詳しく説明する。本発明の敷物は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなど広範な用途に適用することができる。
【００１９】
図１及び図２に示すように、本発明の敷物１００は、基布にパイル糸を打ち込んでなる表面繊維層１０１と、表面繊維層１０１の裏面に取り付けた滑り止めネット１０２とと、滑り止めネット１０２における針状突起１０２ａを固める溶融繊維層１０３とを備えたものである。
【００２０】
表面繊維層１０１は、不織布、紙、布、フェルトあるいはこれらの複合物からなる基布にパイル糸を所定のボリュームで略U字状となるように打ち込み、抜け止めのためのプレコートを施したものである。尚、本発明における基布は、パイル糸を打ち込まない基布のみからなる形態を採ることもできる。
【００２１】
滑り止めネット１０２は、本発明の最大の特徴をなすものであり、合成樹脂ネットの交点に針状突起が立設してなるものである。ネットの素材としては、ポリエステル、ポリアミドなどの強く、耐熱性に優れる樹脂が好ましい。このネットの交点に立設する針状突起１０２ａもネットと同時に成形されたものであり、その太さ、長さは特に限定されないが、求められる滑り止め効果の高低により適宜変更するとよい。具体的には太さが０．５〜１ｍｍ、長さが１．５〜３ｍｍの針状突起が好ましい。
【００２２】
尚、滑り止めネット１０２の形態は任意であるが、例えば図２に示すように亀甲状、菱形状、角状などのネット状が好ましい。
【００２３】
この滑り止めネット１０２における針状突起１０２ａの根元は、溶融繊維層１０３によってその根元が固められており、針状突起１０２ａの強度が高められている。溶融繊維層１０３は、メルトファイバーなどの熱接着性繊維を含んでいることが望ましい。また、溶融繊維層１０３は、繊維ウェブの形態で滑り止めネット１０２上に配され、水流絡合またはニードリングによって繊維相互が絡合され、締め固められ、その上で加熱により溶融されている。溶融繊維層１０４に含ませる熱接着性繊維としては、例えば高融点重合体を芯成分、低融点重合体を鞘成分に配した芯鞘型複合繊維からなるものを好ましいものとして挙げることができる。特に、高融点重合体の融点と低融点重合体の融点との差が１５℃以上であることが好ましく、２０℃以上であることがさらに好ましい。高融点重合体／低融点重合体の組み合わせとしては、ポリエステル／ポリオレフィン、高融点ポリエステル／低融点ポリエステル、ポリアミド／ポリオレフィン、高融点ポリアミド／低融点ポリアミド、ポリプロピレン／ポリエチレン、高融点ポリエチレン／低融点ポリエチレン等が挙げられる。
【００２４】
本発明の敷物は、吸音層１０４を含む形態を採ることができる。吸音層１０４は、ニードルパンチ不織布や発泡樹脂によって構成されたものである。発泡樹脂を用いる場合、例えばポリウレタン、ポリエチレン、ポリプロピレン、ポリビニルアルコール、ポリ塩化ビニル、スチレン−ブタジエン−アクリロニトリル共重合体、エチレン−酢ビ共重合体、ポリメタクリル酸メチル、フェノール、ユリアなどを素材とし、これらを熱分解型発泡剤を用いた気泡発生手段や揮発性溶剤を用いた気泡発生手段、あるいは高圧下で不活性ガスを高分子中に吸収させ、常圧で発泡させる気泡発生手段など従来公知の気泡発生手段を用いて発泡成形することにより得られるものを挙げることができる。図示の例では、発泡ポリウレタンを用いた吸音層を採用した。
【００２５】
吸音層１０４を構成する発泡樹脂の発泡倍率としては任意であるが、好ましくは５〜５０倍、より好ましくは１０〜３０倍である。また、発泡樹脂の気泡構造としても特に限定されないが、連続気泡と独立気泡が２０％：８０％〜８０％：２０％の割合で混在するものが好ましい。すなわち発泡樹脂中の連続気泡構造の割合が多い場合、吸音性はアップするがへたり易くなり、独立気泡が構造の割合が多い場合には、弾性力はアップするが吸音性能は小さくなるため、用途や使用状態に合わせて適宜選択するとよい。図示の例では連続気泡と独立気泡の割合を５０％：５０％とした。
【００２６】
尚、本発明の敷物は、図面に示した例に限定されず、例えば、敷物を構成する表面繊維層や溶融繊維層に撥水剤、抗菌剤、防ダニ剤、防かび剤及びフタロシアニン化合物の少なくとも１種を含ませて、該裏張り材や敷物に、撥水性、抗菌性、防ダニ性及び防かび性といった性能を付与するなど、特許請求の範囲に記載した範囲で自由に変更して実施することができる。
【符号の説明】
【００２７】
１００  ・・・敷物
１０１  ・・・表面繊維層
１０２  ・・・滑り止めネット
１０２ａ・・・針状突起
１０３  ・・・溶融繊維層
１０４  ・・・吸音層
【図１】
2014226223.tif 000003
【図２】
2014226223.tif 000004
【図３】
2014226223.tif 000005
【図４】
2014226223.tif 000006